(57)【要約】      （修正有）【課題】髪をセットするときの使い勝手を向上させる髪を巻くためのヘアーカーラーを提供する。【解決手段】手で把持可能なグリップ１と、グリップから延設される加熱部と、加熱部に外装される周囲に多数の整髪用の突起３を突設した毛髪巻胴部２と、加熱部を加熱するためのヒーターと、 挟持部７がシーソー状に上下して毛髪巻胴との間に髪の毛を挟持して固定するために毛髪巻胴部に対し接離自在に取り付けられる押さえアーム４を有するヘアーカーラーにおいて、複数の鍔状の突起を毛髪巻胴部の前後方向に間隔をあけて連続して配することにより整髪用の突起とし、前記押さえアームの挟持部の毛髪巻胴部への接触面に接触時に鍔状の突起にはまる複数の溝８を設ける。【選択図】図１
0003197495.tif 000002
【実用新案登録請求の範囲】
【請求項１】
手で把持可能なグリップと、グリップから延設される加熱部と、加熱部に外装される周囲に多数の整髪用の突起を突設した毛髪巻胴部と、加熱部を加熱するためのヒーターと、 挟持部がシーソー状に上下して毛髪巻胴との間に髪の毛を挟持して固定するために毛髪巻胴部に対し接離自在に取り付けられる押さえアームを有するヘアーカーラーにおいて、複数の鍔状の突起を毛髪巻胴部の前後方向に間隔をあけて連続して配することにより整髪用の突起とし、前記押さえアームの挟持部の毛髪巻胴部への接触面に接触時に鍔状の突起にはまる複数の溝を設けたことを特徴とするヘアーカーラー。
【請求項２】
鍔状の突起は高さが高い山部と高さが低い谷部が波状に連続する形状とし、押さえアームは前記の谷部箇所の突起に挟持部の溝がはまるよう毛髪巻胴部に対し接離自在に取り付けた請求項１記載のヘアーカーラー。
【考案の詳細な説明】
【技術分野】
【０００１】
本願考案は髪をセットするときに髪を巻くためのヘアーカーラーに関する。
【背景技術】
【０００２】
多数の突起を突設した合成樹脂製の毛髪巻胴からなり、その表面を内部に設けた加熱手段により発熱させるヘアーカーラーが公知である（例えば、特許文献１、特許文献２）。
【０００３】
前記のヘアーカーラーは、毛髪巻胴に髪の毛を巻き付けた状態で加温状態で保持することにより、髪の毛に所望の巻き癖をつけるために使用される。そして、その場合、髪の毛を巻き付けた状態で保持するために、髪巻胴部との間に髪の毛を挟持して固定するためのクリップが使用される。このクリップとしては、ヒンジにより連結され、バネにより開放方向に付勢される略半円筒形に湾曲する対向一対のクリップ片の一端部に、それぞれタブが設けられる鰐口状のものが使用されていた（特許文献３）。
【先行技術文献】
【特許文献】
【０００４】
【特許文献１】特開２００１ー３７５２７号公報
【特許文献２】特開２００６ー１０２３７０号公報
【特許文献３】特許第４０６２６８７号公報
【特許文献４】登録実用新案第３１９４８３６号公報
【考案の概要】
【考案が解決しようとする課題】
【０００５】
前記したように、従来技術のヘアーカーラーは毛髪巻胴に髪の毛を巻き付けることにより使用に供されるが、そのためには両手の指でヘアーカーラーの両端を持ってヘアーカーラーを髪の毛に対し回転させる作業が必要である。
【０００６】
また、髪巻胴部との間に髪の毛を挟持して固定するためのクリップの使用にあたっては指先で一対のクリップ片を摘んだり離したりすることにより行わなくてはならず両手が塞がってしまった。
【０００７】
一方、髪の毛は巻き付け対象となる部分の先端を持ってヘアーカーラーに対して延ばすことが必要となる。これらの作業には慣れが必要で、特に頭の頂部の髪の毛を巻き付ける場合は両手を頭の上まで高く持ち上げなければならず作業がし難かった。
【０００８】
一方、合成樹脂製の毛髪巻胴からなる従来技術のヘアーカーラーは電源を内蔵しておらず、ヘアーカーラーのプラグを給電スタンドに接続して毛髪巻胴に内装したヒーターにより表面を加熱した後に、給電スタンドから取り外し毛髪巻胴に蓄熱した熱により髪の毛を加温するようにしている（特許文献２）。従って、前記の作業は蓄熱している熱が冷めないうちに手早く行わう必要があり慌ただしかった。また、この場合、加温する温度を高くすれば蓄熱時間は長くなるが、前記したように使用者は両手の指でヘアーカーラーの両端を持つので、火傷の問題があり加温する温度はそれほど高くできなかった。
【０００９】
前記したように、従来技術のヘアーカーラーは蓄熱した熱により髪の毛を加温するので、髪の毛に所望の巻き癖をつけるには時間を要し、複数個のヘアーカーラーを髪の毛に巻き付けて固定し、巻き癖がつくまで待たなければならなかった。そのため、前記した作業上の問題も相まって、例えば朝の限られた時間に使用することは事実上不可能な問題があった。
【００１０】
以上の問題を解消する考案として出願人は先に特許文献４に記載のヘアーカーラーの考案を提案している。前記考案のヘアーカーラーは、手で把持可能なグリップと、グリップから延設される加熱部と、加熱部に外装される周囲に多数の整髪用の突起を突設した毛髪巻胴部と、加熱部を加熱するためのヒーターと、 挟持部がシーソー状に上下して毛髪巻胴との間に髪の毛を挟持して固定するために毛髪巻胴部に対し接離自在に取り付けられる押さえアームを有することを特徴とする。本願考案は前記のヘアーカーラーの改良創作に係るものであり、髪の毛をより確実に挟持することができるヘアーカーラーを提供することを目的としている。
【課題を解決するための手段】
【００１１】
すなわち、本願考案のヘアーカーラーは、手で把持可能なグリップと、グリップから延設される加熱部と、加熱部に外装される周囲に多数の整髪用の突起を突設した毛髪巻胴部と、加熱部を加熱するためのヒーターと、 挟持部がシーソー状に上下して毛髪巻胴との間に髪の毛を挟持して固定するために毛髪巻胴部に対し接離自在に取り付けられる押さえアームを有するヘアーカーラーにおいて、複数の鍔状の突起を毛髪巻胴部の前後方向に間隔をあけて連続して配することにより整髪用の突起とし、前記押さえアームの挟持部の毛髪巻胴部への接触面に接触時に鍔状の突起にはまる複数の溝を設けたことを特徴とする。
【００１２】
また、請求項２記載の考案は、前記のヘアーカーラーにおいて、鍔状の突起は高さが高い山部と高さが低い谷部が波状に連続する形状とし、押さえアームは前記の谷部箇所の突起に挟持部の溝がはまるよう毛髪巻胴部に対し接離自在に取り付けたことを特徴とする。
【考案の効果】
【００１３】
本願考案においては、手で把持可能なグリップから延設された加熱部に合成樹脂製の毛髪巻胴部が外装されているので、毛髪巻胴に髪の毛を巻き付ける作業はグリップを持つことで行える。よって、作業は片手で容易に行うことができ、空いた片手で巻き付け対象となる髪の毛の先端を持つことができるので作業は飛躍的に楽になる。
【００１４】
前記の場合、整髪用の突起を複数の鍔状の突起を毛髪巻胴部の前後方向に間隔をあけて連続して配した構成とし、前記押さえアームの挟持部の毛髪巻胴部への接触面に接触時に鍔状の突起にはまる複数の溝を設けている。よって、毛髪巻胴部に髪の毛を巻き付ける際に、髪の毛の先端を押さえアームの挟持部と毛髪巻胴部との間に挟持して固定する場合、髪の毛は突起と押さえアームの挟持部の溝の間に強固に挟み込まれることとなり、毛髪巻胴部に髪の毛を確実に巻き付けることが可能となる。
【００１５】
一方、本願考案のヘアーカーラーは加熱部を加熱するためのヒーターを備えるので、電源コードに接続することにより常時給電されるヒーターとすることにより、蓄熱した熱により髪の毛を加温する従来技術のヘアーカーラーのような温度の低下がないので、安定した熱量により髪の毛に所望の巻き癖をスピーディに付けることができ、従来技術のようにヘアーカーラーを髪の毛に巻き付けた状態で固定する必要がなく、従来時間と手間の問題で困難であった朝方の限られた時間内でのヘアーカーラーの使用が可能となる。
【図面の簡単な説明】
【００１６】
【図１】本願考案のヘアーカーラーの押さえアームを開いた状態の正面図。
【図２】同上、押さえアームを閉じた状態の正面図。
【図３】同上、押さえアームを開いた状態の要部の斜視図。
【図４】同上、押さえアームを閉じた状態の要部の斜視図。
【考案を実施するための最良の形態】
【００１７】
以下、本願考案の具体的実施例を添付図面に基づいて説明する。図１、図２は本願考案のヘアーカーラーの全体を示す図である。このヘアーカーラーはグリップ１と、上記グリップから延設される金属製の加熱部（図示せず）、上記加熱部に外装される合成樹脂製の毛髪巻胴部２、上記加熱部を加熱するためのヒーター、上記毛髪巻胴部材との間に髪の毛を挟持して固定するための押さえアーム４から構成される。
【００１８】
グリップ１は握ったり、指で摘んだりしてヘアーカーラーを三次元方向に移動したり軸方向に回転させるためのものであり、弾性のある合成樹脂素材で構成したり、滑り止めなどを施してもよい。
【００１９】
前記のグリップ１の先端には加熱部（図示せず）が延設され、図示しないヒーターにより加熱される。
【００２０】
毛髪巻胴部２はやや弾性に富んだ合成樹脂素材で筒状に構成される。上記毛髪巻胴部２の表面には多数の突起３が突設される。この突起３は毛髪巻胴部２の外周に巻付ける毛髪を直線方向に揃えるための整髪用のものであって、複数の鍔状の突起を毛髪巻胴部の前後方向に間隔をあけて連続して配しているが、円周に沿って半円弧状に突出するものであってもよい。この実施例においては突起３は高さが高い山部３Ａと高さが低い谷部３Ｂが波状に連続する形状としている（図３、４参照）。
【００２１】
図中符号４は押さえアームである。この押さえアーム４は毛髪巻胴部２に髪の毛を巻き付けるに際して髪の毛の先端を毛髪巻胴部との間に挟持して固定するために使用するものであり、枢支部５をもってグリップ１に揺動自在に取り付けることにより、枢支部より前方の挟持部７が毛髪巻胴部に対し接離自在とされる。そして、挟持部７が毛髪巻胴部２表面に接した状態において、押さえアーム４の枢支部５より後方の操作部６をグリップ１より上方に離隔して配するとともに、挟持部を毛髪巻胴部表面に向かう方向に付勢する。その結果、操作部１を指先などでグリップ１に押さえつけたり、押さえつける力を弱めることにより挟持部７がシーソー状に上下して接離が行なわれることとなる。
【００２２】
前記の押さえアーム４の挟持部７は棒状に構成され、その下面となる毛髪巻胴部２への接触面には接触時に毛髪巻胴部２の鍔状の突起３にはまる複数の溝８が設けられれる。この実施例では溝８はラック状のものとしている。この場合、この実施例においては押さえアーム４は前記の鍔状の突起３の谷部３Ｂ箇所の突起に挟持部７の溝８がはまるようグリップ１に枢支される。
【００２３】
以上の構成からなる本願考案のヘアーカーラーは次のようにして使用される。
(1) ヘアーカーラーのグリップ１のスイッチを操作し、ヒーターに通電して加熱部を介して毛髪巻胴部２を加熱する。
(2) ヘアーカーラーのグリップ１を片方の手で保持し、髪の毛の毛先を毛髪巻胴部２と押さえアーム４の挟持部７との間に挟む。
(3) ヘアーカーラーを軸方向に回転させて髪の毛を毛髪巻胴部２に巻き付ける。
(4) 加熱により髪の毛に所望の巻き癖が付いた段階で、押さえアーム４の挟持部７を髪の毛から離し、ヘアーカーラーを髪の毛から抜き取り、髪の毛の次の箇所に巻き付ける。
【符号の説明】
【００２４】
１                  グリップ
２                  毛髪巻胴部
３                  突起
４                  押さえアーム
６                  操作部
７                  挟持部
８                  溝
【図１】
0003197495.tif 000003
【図２】
0003197495.tif 000004
【図３】
0003197495.tif 000005
【図４】
0003197495.tif 000006